(57)【要約】    【課題】国保異動届を受理した際の国保情報に反映させる処理を自動化して業務の効率化と国保資格状態を適切に維持可能とする。    【解決手段】  保険資格管理部２０は普通世帯主又は擬制世帯主と１又は複数の世帯員の各々の国民健康保険における加入、喪失、変更を内容とする資格情報を国保データベース１２に世帯単位で登録して管理する。異動入力部３０は普通世帯主又は擬制世帯主の申請に基づく特定の世帯員の異動日と異動内容を含む異動情報を入力する。異動処理部３２は入力した異動情報を対象とする世帯員の資格情報に反映させる。修正部３４は、異動処理後の普通世帯主又は擬制世帯主の資格情報を解析して主のみ期間、主なし期間又は重複主期間といったエラーを検出して修正する。確認更新部３６は修正部３４により修正の済んだ資格情報を警告表示して確認を促し確認入力を認識した際に、異動処理及び修正の済んだ世帯分の資格情報によりデータベースを更新する。    【選択図】      図１
2008217732.tif 000002
【特許請求の範囲】
【請求項１】
コンピュータを、
普通世帯主又は擬制世帯主を含む１又は複数の世帯員の各々の国民健康保険における加入、喪失、変更を内容とする資格情報をデータベースに世帯単位で登録して管理する管理部、
前記普通世帯主又は擬制世帯主の申請に基づく特定の世帯員の異動日と異動内容を含む異動情報を入力する入力部、
入力した前記異動情報を、前記データベースの対象とする世帯員の資格情報に反映させる異動処理部、
前記異動処理後の前記普通世帯主又は擬制世帯主の資格情報を解析して対象世帯員の資格情報に対するエラーを検出し、そのエラー内容の修正を行う修正部、
前記修正部により修正された資格情報を警告表示して確認を促し、確認入力を認識した際に、前記異動処理及び修正の済んだ世帯分の資格情報により前記データベースを更新する確認更新部、
として機能させることを特徴とする国民健康保険申請処理プログラム。
【請求項２】
請求項１に記載の国民健康保険申請処理プログラムに於いて、前記修正部は、前記異動処理により発生した前記普通世帯主又は擬制世帯主が存在しない主なし期間のエラーを検出した場合、
現在の普通世帯主が存在する場合は、対象者の現在の普通世帯主の情報を承継した擬制世帯主の期間を、前記主なし期間から自己の被保険者期間を除く期間に亘り生成して追加し、
現在の普通世帯主が存在しない場合は、現在の住民基本台帳データベースに蓄積されている世帯主情報を擬制世帯主とした期間を、前記主なし期間に亘り生成して追加することを特徴とする国民健康保険申請処理プログラム。
【請求項３】
請求項１に記載の国民健康保険申請処理プログラムに於いて、前記修正部は、前記異動処理により発生した普通世帯主又は擬制世帯主のみが存在する主のみ期間のエラーを検出した場合、前記主のみ期間に亘り前記普通世帯主又は擬制世帯主の期間を削除することを特徴とする国民健康保険申請処理プログラム。
【請求項４】
請求項１に記載の国民健康保険申請処理プログラムに於いて、前記修正部は、前記異動処理により発生した前記普通世帯主又は擬制世帯主の現在の世帯主期間と過去の世帯主期間とが重複して存在する重複期間のエラーを検出した場合、前記重複期間について現在の前記普通世帯主又は擬制世帯主の世帯主期間を残し、過去に存在した世帯主期間を普通世帯主であれば被保険者期間に変更し、擬制世帯主であれば削除することを特徴とする国民健康保険申請処理プログラム。
【請求項５】
普通世帯主又は擬制世帯主を含む１又は複数の世帯員の各々の国民健康保険における加入、喪失、変更を内容とする資格情報をデータベースに世帯単位で登録して管理する管理部と、
前記普通世帯主又は擬制世帯主の申請に基づく特定の世帯員の異動日と異動内容を含む異動情報を入力する入力部と、
入力した前記異動情報を、前記データベースの対象とする世帯員の資格情報に反映させる異動処理部、
前記異動処理後の前記普通世帯主又は擬制世帯主の資格情報を解析して対象世帯員の資格情報に対するエラーを検出し、そのエラー内容の修正を行う修正部と、
前記修正部により修正された資格情報を警告表示して確認を促し、確認入力を認識した際に、前記異動処理及び修正の済んだ世帯分の資格情報により前記データベースを更新する確認更新部と、
を備えたことを特徴とする国民健康保険申請処理装置。
【請求項６】
コンピュータに、
普通世帯主又は擬制世帯主を含む１又は複数の世帯員の各々の国民健康保険における加入、喪失、変更を内容とする資格情報をデータベースに世帯単位で登録して管理する管理処理と、
前記普通世帯主又は擬制世帯主の申請に基づく特定の世帯員の異動日と異動内容を含む異動情報を入力する入力処理と、
入力した前記異動情報を、前記データベースの対象とする世帯員の資格情報に反映させる異動処理と、
前記異動処理後の前記普通世帯主又は擬制世帯主の資格情報を解析して対象世帯員の資格情報に対するエラーを検出し、そのエラー内容の修正を行う修正処理と、
前記修正処理により修正された資格情報を警告表示して確認を促し、確認入力を認識した際に、前記異動処理及び修正の済んだ世帯分の資格情報により前記データベースを更新する更新処理と、
を実行させることを特徴とする国民健康保険申請処理方法。
【発明の詳細な説明】
【技術分野】
【０００１】
本発明は、国民健康保険の異動申請を入力して保険資格情報に反映させる国民健康保険申請処理プログラム、記録媒体、装置及び方法に関し、特に、異動申請を保険資格情報に反映した際に必要とする世帯主資格期間の修正を自動的に処理する国民健康保険申請処理プログラム、記録媒体、装置及び方法に関する。
【背景技術】
【０００２】
従来、市町村などの地方自治体における国民健康保険（以下「国保」という）の業務にあっては、住民から加入、喪失又は変更の異動届を受理した際に、いつその異動があったかの日付を同時に申請してもらうが、法令上過去にさかのぼった日を申請することも認められている。
【０００３】
住民の国保に関する情報はデータベース、サーバ及びクライアントで構成されるコンピュータ支援の国保業務システムで管理されている。
【０００４】
住民から異動届を受理した場合、申請した住民の属する世帯がすでに国保に加入している場合、それまでの当該世帯の国保状態と照らし合わせ、必要に応じて当該世帯の過去の情報を修正する必要があるが、どう修正するかの判断が、現在および過去の国保世帯情報、そして他業務の情報も合わせて確認して判断しなければならない。
【０００５】
このため国保異動届の受理に伴う処理業務については、コンピュータ支援の国保業務システムによる処理のシステム化が複雑であり、従来のシステムでは自動修正とせず、自治体職員の判断を元に個別に手修正を行う運用となっている。
【特許文献１】特開平９−２０４３３２号公報
【発明の開示】
【発明が解決しようとする課題】
【０００６】
しかしながら、このような従来の国保異動届に対する自治体職員の判断により個別的な手修正とする運用方法にあっては、小規模自治体であれば対象となる件数が少ないことから問題は少ないが、近年の自治体統合に対応した大規模ユーザが想定される国保業務システムでは対応件数が多く、さらに、窓口の対応職員数が多いため、異動届の受理に伴い国保資格状態を適切に維持するためには、膨大な教育やデータチェックが必要となる。
【０００７】
例えば市役所の国保業務システムにあっては、異動届を受理すると、市役所の職員が住民記録を照会しながら業務システムの強制修正的機能を使って過去の国保情報を一つ一つ修正しており、このため各支所では修正できず、本庁の職員にて全て修正を行う必要があり、修正の仕方が職員のスキルによってばらばらとなり、均一な住民サービスを提供するのが困難であり、更に、手修正のため、修正漏れなどが発生する可能性がある。
【０００８】
本発明は、国保異動届を受理した際の国保情報に反映させる処理を自動化して業務の効率化と国保資格状態を適切に維持可能とする国民健康保険異動申請処理プログラム、記録媒体、装置及び方法を提供することを目的とする。
【課題を解決するための手段】
【０００９】
（プログラム）
本発明は国民健康保険申請処理プログラムを提供する。本発明の国民健康保険申請処理プログラムは、コンピュータを、
普通世帯主又は擬制世帯主を含む１又は複数の世帯員の各々の国民健康保険における加入、喪失、変更を内容とする資格情報をデータベースに世帯単位で登録して管理する管理部、
普通世帯主又は擬制世帯主の申請に基づく特定の世帯員の異動日と異動内容を含む異動情報を入力する入力部、
入力した異動情報を、データベースの対象とする世帯員の資格情報に反映させる異動処理部、
異動処理後の普通世帯主又は擬制世帯主の資格情報を解析して対象世帯員の資格情報に対するエラーを検出し、そのエラー内容の修正を行う修正部、
修正部により修正された資格情報を警告表示して確認を促し確認入力を認識した際に、異動処理及び修正の済んだ世帯分の資格情報によりデータベースを更新する確認更新部、
として機能させることを特徴とする。
【００１０】
（主なし期間修正）
修正部は、異動処理により発生した普通世帯主又は擬制世帯主が存在しない主なし期間のエラーを検出した場合、
現在の普通世帯主が存在する場合は、対象者の現在の普通世帯主の情報を承継した擬制世帯主の期間を、主なし期間から自己の被保険者期間を除く期間に亘り生成して追加し、
現在の普通世帯主が存在しない場合は、現在の住民基本台帳データベースに蓄積されている世帯主情報を擬制世帯主とした期間を、主なし期間に亘り生成して追加する。
【００１１】
（主のみ期間修正）
修正部は、異動処理により発生した普通世帯主又は擬制世帯主のみが存在する主のみ期間のエラーを検出した場合、主のみ期間に亘り普通世帯主又は擬制世帯主の期間を削除する。
【００１２】
（重複主期間の修正）
修正部は、異動処理により発生した普通世帯主又は擬制世帯主の現在の世帯主期間と過去の世帯主期間とが重複して存在する重複期間のエラーを検出した場合、重複期間について現在の記普通世帯主又は擬制世帯主の世帯主期間を残し、過去に存在した世帯主期間を普通世帯主であれば被保険者期間に変更し、擬制世帯主であれば削除する。
【００１３】
（記録媒体）
本発明は国民健康保険申請処理プログラムを格納したコンピュータ可読な記録媒体を提供する。本発明の記録媒体は、コンピュータを、
普通世帯主又は擬制世帯主を含む１又は複数の世帯員の各々の国民健康保険における加入、喪失、変更を内容とする資格情報をデータベースに世帯単位で登録して管理する管理部、
普通世帯主又は擬制世帯主の申請に基づく特定の世帯員の異動日と異動内容を含む異動情報を入力する入力部、
入力した異動情報を、データベースの対象とする世帯員の資格情報に反映させる異動処理部、
異動処理後の普通世帯主又は擬制世帯主の資格情報を解析して対象世帯員の資格情報に対するエラーを検出し、そのエラー内容の修正を行う修正部、
修正部により修正された資格情報を警告表示して確認を促し、確認入力を認識した際に、異動処理及び修正の済んだ世帯分の資格情報によりデータベースを更新する確認更新部、
として機能させる国民健康保険申請処理プログラムを格納したことを特徴とする。
【００１４】
（装置）
本発明は国民健康保険申請処理装置を提供する。本発明は国民健康保険申請処理装置は、
普通世帯主又は擬制世帯主を含む１又は複数の世帯員の各々の国民健康保険における加入、喪失、変更を内容とする資格情報をデータベースに世帯単位で登録して管理する管理部と、
普通世帯主又は擬制世帯主の申請に基づく特定の世帯員の異動日と異動内容を含む異動情報を入力する入力部と、
入力した異動情報を、データベースの対象とする世帯員の資格情報に反映させる異動処理部、
異動処理後の普通世帯主又は擬制世帯主の資格情報を解析して対象世帯員の資格情報に対するエラーを検出し、そのエラー内容の修正を行う修正部と、
修正部により修正された資格情報を警告表示して確認を促し、確認入力を認識した際に、異動処理及び修正の済んだ世帯分の資格情報によりデータベースを更新する確認更新部と、
を備えたことを特徴とする。
【００１５】
（方法）
本発明は国民健康保険申請処理方法を提供する。本発明は国民健康保険申請処理方法は、コンピュータに、
普通世帯主又は擬制世帯主を含む１又は複数の世帯員の各々の国民健康保険における加入、喪失、変更を内容とする資格情報をデータベースに世帯単位で登録して管理する管理処理と、
普通世帯主又は擬制世帯主の申請に基づく特定の世帯員の異動日と異動内容を含む異動情報を入力する入力処理と、
入力した異動情報を、データベースの対象とする世帯員の資格情報に反映させる異動処理と、
異動処理後の普通世帯主又は擬制世帯主の資格情報を解析して対象世帯員の資格情報に対するエラーを検出し、そのエラー内容の修正を行う修正処理と、
修正処理により修正された資格情報を警告表示して確認を促し、確認入力を認識した際に、異動処理及び修正の済んだ世帯分の資格情報によりデータベースを更新する更新処理と、
を実行させることを特徴とする。
【発明の効果】
【００１６】
本発明によれば、受理された異動申請の異動日と異動内容を元に、データベースから取得した当該世帯の国保資格情報を照らし合わせ、異動者の国保資格期間を自動で修正した後、修正した被保険者期間も合わせて当該世帯の普通世帯主又は擬制世帯主の状態を過去の状態も含めて全てを解析して、主のみの期間、主なし期間、重複主期間といったエラーがあるかどうかを検出し、エラーを検出した場合には正しい主期間に自動的に修正し、これにより異動日と異動内容を入力するだけで、異動申請を反映した適切な国保資格情報に修正することができ、職員のスキルに依存することなく支所の職員でも適切に処理することができ、本庁への業務集中を回避し、処理が迅速且つ適確にできることで、国保についての住民サービスを向上できる。
【００１７】
また異動届に伴う普通世帯主及び擬制世帯主の資格期間に関する修正結果を担当職員に表示して確認入力を得ることで確定してデータベースを更新しているため、異動届に基づく入力ミスなどに起因した修正漏れが発生することがなくなり、国保資格情報を適切な状態に保ち、また住民とのトラブルを未然に防ぐことができる。
【発明を実施するための最良の形態】
【００１８】
図１は本発明による国保申請処理の実施形態を示したシステム構成のブロック図である。なお、以下の実施形態においては、次のような省略表現を使用する。
国保＝国民健康保険
普主＝普通世帯主
擬主＝擬制世帯主
被保＝被保険者
普主期間＝普通世帯主期間
擬主期間＝擬制世帯主期間
被保期間＝被保険者期間
また、擬制世帯主とは、世帯主が国保に加入していなく、世帯に加入者がいる世帯の世帯主を言う。擬制世帯主は普通世帯主と同様、被保険者証が世帯主名で交付され、国民健康保険税（または料）の納付義務及び各種の届出義務が課せられる。
【００１９】
図１において、本実施形態の国保申請処理の機能を含む国保業務システムは国保管理サーバ１０を有し、国保管理サーバ１０に対しては国保データベース１２が接続されている。国保管理サーバ１０はネットワーク１４に接続されており、このネットワーク１４には、国保管理サーバの処理の際に参照する住民基本台帳データベース２２を備えた住民基本台帳管理サーバ２０が接続されている。
【００２０】
またネットワーク１４には、イントラネット１６を介してクライアント１８が接続されている。クライアント１８は、例えば市役所であれば各支所に設置されており、各支所で国保の異動届を受理した際の国保申請処理の作業に使用される。もちろんクライアント１８はイントラネット１６を経由せず、ネットワーク１４に直接接続してもよく、例えば本庁の場合にはネットワーク１４に直接クライアント１８が接続されることになる。
【００２１】
国保管理サーバ１０には、通信部２４、保険資格管理部２６及び申請処理部２８が設けられている。保険資格管理部２６は、普主または擬主を含む１または複数の世帯員の各々の国保における加入、喪失、変更を内容とする資格情報を、国保データベース１２に世帯単位で登録して管理している。
【００２２】
申請処理部２８は、本実施形態における国保申請処理プログラムの実行により実現される機能であり、その処理内容として、異動入力部３０、異動処理部３２、修正部３４及び確認更新部３６を備えている。
【００２３】
申請処理部２８の機能として示した本実施形態の国保申請処理プログラムは、クライアント１８から国保申請処理の処理要求を受信した際に、アプレットとしてクライアント１８にダウンロードされて、クライアント１８側で実行される。
【００２４】
申請処理部２８に設けた異動入力部３０は、普主または擬主の国保に関する異動届けの申請を受理した際に、受理した異動届けに基づく特定の構成員についての異動日と異動内容を含む異動情報を入力する。この異動情報の入力操作は、異動届けを受理した職員がクライアント１８にダウンロードされた申請処理部２８の異動入力部３０による画面を開いて、必要な異動情報の入力を行うことになる。
【００２５】
異動処理部３２は、異動入力部３０で入力した特定世帯員の異動日と異動内容を含む異動情報を、当該世帯員の資格情報に反映させる。修正部３４は、異動処理部３２による処理後の普主または擬主の資格情報を解析して、エラーを検出して、これを修正する。
【００２６】
本実施形態で検出する異動処理後の普主または擬主のエラーとしては次のものがある。
（１）異動処理により発生した普主または擬主が存在しない主無し期間のエラー
（２）異動処理により発生した普主または擬主のみが存在する主のみ期間のエラー
（３）異動処理により発生した普主または擬主の現在の世帯主期間と過去の世帯主期間とが重複して存在する重複主期間のエラー
このような異動修正後に発生した普主または擬主に関するエラーを検出し、それぞれに対応した修正を行って、正しい普主または擬主の期間を生成する。
【００２７】
確認更新部３６は、修正部３４により修正の済んだ普主または擬主の資格情報を警告表示して確認を促し、確認入力を認識した際に、異動処理及び修正の済んだ世帯分の資格情報により国保データベース１２を異動届けの受理結果に応じた内容に更新する。
【００２８】
図２は本実施形態の国保申請処理プログラムが実行されるコンピュータのハードウェア環境を示したブロック図であり、図１の国保管理サーバ１０及びクライアント１８のハードウェア環境に対応している。
【００２９】
図２において、コンピュータはＣＰＵ３８を有し、ＣＰＵ３８のバス４０に、ＲＡＭ４２、ＲＯＭ４４、ハードディスクドライブ４６、キーボード５０，マウス５２，ディスプレイ５４を接続するデバイスインタフェース４８、及びネットワークアダプタ５６を接続している。
【００３０】
図１の国保管理サーバ１０を例にとると、ハードディスクドライブ４６には、保険資格管理部２６に対応したプログラム、及びクライアント１８にアプレットとしてダウンロードされる申請処理部２８に対応したプログラムがインストールされている。
【００３１】
コンピュータを起動すると、図示しないＢＩＯＳのブート処理でＲＯＭ４４のブートコードが実行され、ハードディスクドライブ４６からＯＳがＲＡＭ４２に読出し配置されてＣＰＵ３８により実行され、このＯＳの実行に伴い、ハードディスクドライブ４６からアプリケーションとしての保険資格管理部２６に対応したプログラム及び申請処理部２８に対応したプログラムがＲＡＭ４２に読出し配置され、ＣＰＵ３８により実行される。
【００３２】
図３は本実施形態における国保申請処理プログラムの処理手順を示したフローチャートである。この国保申請処理プログラムは、図１に示したように、クライアント１８から異動申請処理の処理要求を受けた際に、国保管理サーバ１０の申請処理部２８の機能を持つ申請処理プログラムがクライアント１８にアプレットとしてダウンロードされて実行されることになる。
【００３３】
図３において、国保申請処理は、ステップＳ１で国保異動届けに基づく移動入力部３０による異動情報の入力の有無をチェックしている。異動情報の入力があると、ステップＳ２に進み、職員の操作に基づく異動日と異動内容を含む異動情報を取得し、更にステップＳ３で異動申請世帯の資格情報を国保管理サーバ１０に設けている国保データベース１２から読み出して取得する。
【００３４】
このステップＳ１〜Ｓ３が、図１の異動入力部３０の処理に相当する。次にステップＳ４で、異動処理部３２が異動情報における特定の世帯員についての異動内容を当該世帯員の資格情報に反映する。続いてステップＳ５で、修正部３４が異動情報を反映した資格情報を解析して、普主または擬主の資格期間についてのエラーを検出して修正する。
【００３５】
続いてステップＳ６で、修正の済んだ普主または擬主についての資格情報を画面表示し、ステップＳ７で確認入力を待つ。職員が修正結果について確認入力を行うと、これを判別してステップＳ８に進み、修正済みの資格情報により国保データベース１２を更新する。
【００３６】
入力間違いを発見した場合はステップＳ７で確認入力が判別されないことから、再度ステップＳ１へ戻り、入力内容の修正を行う。
【００３７】
このようなステップＳ１〜Ｓ８の処理を、ステップＳ９で停止指示即ちクライアント１８における国保申請処理プログラムの終了処理があるまで繰り返す。
【００３８】
図４は図３のステップＳ５における修正処理の詳細を示したフローチャートである。図４において、修正処理は、ステップＳ１で主なし期間エラー検出か否か判別し、検出した場合には、ステップＳ２で主なし期間修正処理を実行する。
【００３９】
またステップＳ３で主のみ期間エラー検出か否かチェックし、エラーを検出した場合には、ステップＳ４で主のみ期間エラー修正処理を実行する。またステップＳ５で重複主期間エラー検出か否かチェックし、エラー検出の場合には、ステップＳ６で重複主期間エラー修正処理を実行する。更にステップＳ７でその他の主期間エラー検出を判別した場合は、ステップＳ８で、これに対応した主期間エラー修正処理を実行する。
【００４０】
図５は図４のステップＳ２におけるマッピング表を使用した主なし期間の修正処理を示した説明図である。図５（Ａ）は異動前の国保資格６０−１１を住民基本台帳５８−１１と共にマッピング表として示している。
【００４１】
異動前の国保資格６０−１１にあっては、世帯員Ａ，Ｂ，Ｃがあり、当初、世帯員Ａが普主で普主期間６２が設定されており、その後、世帯員Ｂに普主が変更となって普主期間６４が設定され、更に、その後に世帯員Ｃが普主に変更されて現在までの普主期間６６となっている。また世帯員Ｃについては、普主期間６６の前に被保期間６８が設定されている。
【００４２】
このような異動前の国保資格６０−１１に対応して、住民基本台帳５８−１１も、世帯員Ａ，Ｂ，Ｃにつき同期した期間の設定となっている。
【００４３】
ここで、現在の普主である世帯員Ｃにより申請日０６．０２．０８付を持って異動申請が行われたとする。この異動申請は、世帯員Ｂが異動日０６．１０．０５に遡って資格を喪失する異動情報７０−１であったとする。
【００４４】
異動情報７０−１に基づき、異動前の国保資格６０−１１は、図５（Ｂ）の異動処理中の国保資格６０−１２に示すように、異動対象となった世帯員Ｂにつき異動日０６．１０．０５以降の資格を喪失する異動情報の反映を行う。
【００４５】
世帯員Ｂにつき異動情報を反映させると、世帯員Ｂが普主であった普主期間６４が削除されるため、０６．１１．０１〜０６．１２．０１の間に主なし期間７２が発生する。このような主なし期間７２の発生については、本実施形態の修正部３４による修正処理により、図５（Ｃ）に示すような異動後の国保資格６０−１３に示すように修正する。
【００４６】
この主なし期間７２の修正は次の手順を原則とする。
（１）現在の普主が存在する場合は、現在の普主の情報を承継した擬主期間を主なし期間に亘り生成して追加する。
（２）現在の普主が存在しない場合には、現在の住民基本台帳上の世帯主を擬主とした期間を主なし期間に亘り生成して追加する。
【００４７】
図５（Ｂ）の主なし期間７２は前記（１）に該当するが、更に現在の世帯員Ｃの普主期間６６の前に世帯員Ｃは被保期間６８を設定している。このように現在の世帯主である世帯員Ｃの普主期間６６に被保期間６８がある場合には、普主期間６６を被保期間６８に延長し、図５（Ｃ）に示すように普主期間６６−１とする。その後に、被保期間６８を除く主なし期間７２の残り部分について、現在の世帯員Ｃの情報を承継した擬主期間７４を生成して追加する。
【００４８】
このような現在の普主である世帯員Ｃの被保期間６８の普主期間への変更と、主なし期間７２における被保期間６８を除いた期間についての擬主期間７４への変更により、異動情報７０−１により世帯員Ｂの資格喪失が、異動日０６．１０．０５に遡って喪失したことによる異動処理で発生した主なし期間７２が適切に解消できる。
【００４９】
更に、申請により資格を喪失した世帯員Ｂについては、同日に普主が発生して消滅したことを示す同日発生消滅情報７３を残すようにしている。
【００５０】
なお、異動前の住民基本台帳５８−１１については、図５（Ｂ）の異動後の住民基本台帳５８−１２のように、異動情報７０−１を反映した異動処理中の国保資格６０−１２に同期した期間修正が予め行われていることが前提である。
【００５１】
住民基本台帳５８−１２における異動処理は、住民基本台帳に対する異動申請を現在の世帯主である世帯員Ｃが別途行って受理された異動情報７５に基づき、本実施形態の国保業務システムとはまた別の住民基本台帳の業務システムにおける申請処理を通じて行われることになる。
【００５２】
換言すると、本実施形態の国保申請処理で異動処理が行われたとしても、この結果は自動的に住民基本台帳側の業務システムに反映されることはなく、あくまで住民基本台帳に対する世帯主の申請を待って、同期した状態が作り出される。
【００５３】
なお、図５（Ｃ）に示すような異動申請により国保資格６０−１３のような変更が生じた場合で先に国保の窓口に申請があった場合には、窓口に申請してくれる世帯主である世帯員Ｃに対し、住民基本台帳に対する異動申請を先に行うように、窓口の職員が案内をすることはもちろんである。
【００５４】
図６は図５の主なし期間の修正処理に対応した作業画面を示した説明図である。図６（Ａ）の作業画面７６−１１は、図５（Ａ）の異動前の国保資格６０−１１に対応した普主の資格情報であり、世帯員Ａの異動情報７８−１、世帯員Ｂの普主情報８０−１、及び世帯員Ｃの普主情報８２−１が表示され、普主が世帯員ＡからＢに変更され、更にＣに変更され、現在の普主が世帯員Ｃであることが分かる。
【００５５】
図６（Ｂ）は、図５（Ｂ）に示した申請情報７０−１を世帯員Ｂに反映させた後に主なし期間７２を修正した図５（Ｃ）の異動後の国保情報６０−１３における普主情報を示した作業画面７６−１２である。
【００５６】
この作業画面７６−１２にあっては、世帯員Ａの普主情報７８−２については図６（Ａ）の変更前と同じであるが、世帯員Ｃの普主情報については、主なし期間７２の修正に伴い擬主情報８２−２１と普主情報８２−２２に分けて登録されている。
【００５７】
更に、異動日に遡って資格を喪失した世帯員Ｂについては、普主期間は実質的には存在しないが、国保資格の管理にあっては、図６の変更前の世帯員Ｂの普主情報８０−１における主開始情報「Ｈ１８．１１．０１」をそのまま残し、主終了情報として同日の「Ｈ１８．１１．０１」を登録している。
【００５８】
即ち国保資格を喪失した世帯員Ｂの普主情報としては、同日発生消滅情報として国保資格を記録上残している。この同日発生消滅の普主情報は、図５（Ｃ）にあっては同日発生消滅情報７３として示している。
【００５９】
図６（Ｂ）のような主なし期間の修正に基づく普主期間または擬主期間を示す作業画面７６−３２が表示されたならば、国保申請処理を行っている職員が、作業画面７６−１２の表示内容を見て自動修正された普主または擬主の期間を確認し、正しい修正結果であれば確認ボタン８４をマウスクリックして確認入力を行う。
【００６０】
確認入力が行われると、異動届けの申請情報に基づいて反映且つ修正された図５（Ｃ）に示すような異動後の国保資格６０−１３に基づく情報が、職員の処理しているクライアント１８から国保管理サーバ１０に送られ、保険資格管理部２６により国保データベース１２に登録されている図５（Ａ）の変更前の国保資格６０−１１の情報を異動後の国保資格６０−１３の情報により書き替える更新処理を行う。
【００６１】
図７は図４のステップＳ２における主なし期間の修正処理の詳細を示したフローチャートである。図７において、主なし期間修正処理は、ステップＳ１で主なし期間に対し現在の普主が存在するか否か判別し、現在の普主が存在すれば、ステップＳ２に進み、現在の普主の主なし期間に重複した被保期間があるか否かチェックする。
【００６２】
被保期間があれば、ステップＳ３で被保期間を現在の普主の普主期間に変更する。ステップＳ２で被保期間がなければ、ステップＳ３の処理はスキップする。続いてステップＳ４で主なし期間を現在の普主の情報を承継した擬主期間に変更する。もちろん、ステップＳ３で現在の普主の被保期間を普主期間に変更した場合には、残りの主なし期間につき現在の普主の情報を承継した擬主期間に変更する。
【００６３】
一方、ステップＳ１で主なし期間に対し現在の普主が存在しない場合には、ステップＳ５に進み、主なし期間を現在の住民基本台帳上の世帯主を擬主とした期間に変更する。
【００６４】
図８は図４のステップＳ４におけるマッピング表を使用した主のみ期間の修正処理を示した説明図である。図８（Ａ）は異動前の国保資格６０−２１を住民基本台帳５８−２１と共に示している。異動前の国保資格６０−２１は世帯員Ａ，Ｂ，Ｃの世帯であり、世帯員Ａが擬制世帯主で、現在まで擬主期間８５を設定している。
【００６５】
このような異動前の国保資格６０−２１に対し、現在の擬主である世帯員Ａによる異動申請が行われ、図８（Ｂ）に示す異動情報７０−２に示すように、「世帯員Ｂの国保資格が過去である異動日０６．１１．０１」に遡って喪失したとする。
【００６６】
このような申請された異動情報７０−２に基づき、図８（Ｂ）の異動処理中の国保資格６０−２２に示すように、世帯員Ｂの被保期間を異動日０６．１１．０１で終了するように被保期間を変更する。
【００６７】
世帯員Ｂの異動日に遡った資格喪失に伴い、異動日０６．１１．０１から世帯員Ｃが加入した０６．１２．０１の間に擬主のみが存在する主のみ期間８６が発生する。主のみ期間８６は図１の修正部３４により主のみ期間エラーとして検出され、図８（Ｃ）に示すような修正により、異動後の国保資格６０−２３が生成される。
【００６８】
主のみ期間８６の修正は、主のみ期間８６に亘り普主期間または擬主期間を削除する処理を行う。図８の場合には、主のみ期間８６に該当する世帯員Ａの擬主期間８５を削除し、０６．１０．０１〜０６．１１．０１の擬主期間８５−１と、０６．１２．０１〜０７．０２．０８の擬主期間８５−２に分離する。この世帯員Ａの擬主期間の主のみ期間８６を削除する分割により、主のみ期間８６のエラーが解消できる。
【００６９】
図９は図８の主のみ期間の修正処理に対応した作業画面を示した説明図である。図９（Ａ）は図８（Ａ）の異動前の国保資格６０−２１における世帯主Ａの擬主情報８８を示した作業画面７６−２１であり、作業画面７６−２１の内容が、図８（Ｂ）に示す主のみ期間８６の修正により図９（Ｂ）の変更後の作業画面７６−２２となる。
【００７０】
この変更後の作業画面７６−２２にあっては、擬主である世帯員Ａの変更前の擬主情報８８が、変更後は擬主８８−１と８８−２に分けて登録されている。国保申請処理を行っている職員は、作業画面７６−２２の表示内容を見て自動修正された普主または擬主の期間を確認し、正しい修正結果であれば確認ボタン８４をマウスクリックして確認入力を行う。
【００７１】
確認入力が行われると、異動届けの申請情報に基づいて反映且つ修正された図８（Ｃ）に示すような異動後の国保資格６０−２３に基づく情報が、職員の処理しているクライアント１８から国保管理サーバ１０に送られ、保険資格管理部２６により国保データベース１２を書き替える更新処理を行う。
【００７２】
図１０は図４のステップＳ４における主のみ期間の修正処理の詳細を示したフローチャートである。図１０において、主のみ期間修正処理は、ステップＳ１で主のみ期間が擬主か否かチェックし、擬主であれば、ステップＳ２で擬主期間から主なし期間を削除する。
【００７３】
図１１は図４のステップＳ６におけるマッピング表を使用した重複主期間の修正処理を示した説明図である。図１１（Ａ）は異動前の国保資格６０−３１を住民基本台帳５８−３１と共に示している。
【００７４】
異動前の国保資格６０−３１は世帯員Ａ，Ｂ，Ｃの世帯であり、最初、世帯員Ａが普主であって普主期間９０が設定されており、その後、世帯員Ｂに普主が変更されて普主期間９２を設定している。住民基本台帳５８−３１は異動前の国保資格６０−３１に同期した内容となっている。
【００７５】
このような異動前の国保資格６０−３１に対し、図１１（Ｂ）の異動情報７０−３に示すように、世帯員Ｂについて異動日０６．１１．０１に遡って国保の資格喪失となる異動届けが世帯員Ｃにより行われ、同時に世帯員Ｃは自分が世帯主となる旨の申請を行っている。
【００７６】
この異動情報７０−３に基づき、世帯員Ｂは異動日０６．１１．０１に遡って国保資格が消滅している。同時に世帯員Ｃにつき異動日０６．１１．０１に遡って普主とする申請に伴い、世帯員Ｃにつき普主期間９６が設定される。
【００７７】
このような異動情報７０−３に基づく世帯員Ｂの資格喪失と世帯員Ｃの普主変更に伴い、過去の世帯員Ａの普主による普主期間９０と新たに設定した世帯員Ｃの普主期間９４が重複した重複主期間９６が発生する。
【００７８】
重複主期間９６の発生については、図１１（Ｃ）に示すように、重複主期間９６について現在の普主である世帯員Ｃの普主期間９４をそのまま残し、過去に存在した世帯員Ａの普主期間９０を重複主期間９６に亘り削除して被保期間９８に変更する。更に、資格を喪失した世帯員Ｂについては、普主期間の開始日０６．１２．０１につき、同日発生消滅情報１００を設定しておく。
【００７９】
なお、図１１（Ｂ）の変更後の住民基本台帳５８−３２については、異動後の国保資格６０−３３の内容に同期した内容となるように、別途、住民基本台帳に対する異動申請に基づく異動情報１０１による修正が予め行われて、国保資格６０−３３との同期が取られている。
【００８０】
図１２は図１１の重複主期間の修正処理に対応した作業画面を示した説明図であり、図１２（Ａ）が変更前の作業画面７６−３１を示し、図１２（Ｂ）が変更後の作業画面７６−３２を示している。変更前の作業画面７６−３１にあっては、世帯員Ａの普主情報１０２−１と資格喪失の対象となった世帯員Ｂの普主情報１０４−１が設定されている。
【００８１】
図１２（Ｂ）の異動後の作業画面７６−３２については、重複主期間９６の修正に伴い、世帯員Ａの普主情報１０２−２は修正により、主終了情報が変更前のＨ１８．１２．０１からＨ１８．１１．０１に変更されており、続いて資格を喪失した世帯員Ｂの普主情報１０４−２１として主開始情報と主終了情報が同日の同日発生消滅が設定される。更に世帯員Ｃにつき、世帯員Ｂの資格喪失に伴い新たに普主情報１０４−２２が設定されている。
【００８２】
この変更後の作業画面７６−３２を見て内容が正しいことを職員が確認したならば、確認ボタン８４をマウスクリックすることで、図１１（Ｃ）の異動後の国保情報６０−３３の内容が図１の国保管理サーバ１０に送られ、国保データベース１２を更新することになる。
【００８３】
図１３は図４のステップＳ６における重複主期間の修正処理の詳細を示したフローチャートである。図１３において、重複主期間修正処理は、ステップＳ１で現在の普主の期間を重複期間まで延長した後、ステップＳ２で過去の普主の重複期間を被保期間に変更する。
【００８４】
本発明は、図１の国保管理サーバ１０からクライアント１８にアプレットとしてダウンロードして実行される申請処理部２８の機能を実現する国保申請処理プログラムを提供するものであり、この国保申請処理プログラムは、図３，図４，図７，図１０及び図１３に示したフローチャートの処理手順を備えるものである。
【００８５】
また本発明は国保異動申請処理プログラムを格納したコンピュータ可読な記録媒体を提供する。ここで記録媒体とは、ＣＤ−ＲＯＭ、フロッピィディスク（Ｒ）、ＤＶＤディスク、光磁気ディスク、ＩＣカードなどの可搬型記憶媒体や、コンピュータシステムの内外に備えられたハードディスクドライブなどの記憶装置の他、回線を介してプログラムを保持するデータベースあるいは他のコンピュータシステム並びにそのデータベースや、更に回線上の伝送媒体を含むものである。
【００８６】
なお上記の実施形態にあっては、国保管理サーバ１０にアプレットとして格納している国保申請処理プログラムを、申請処理作業を実行するクライアント側からの要求に対しダウンロードして実行させる場合を例に取るものであったが、国保申請処理を実行する端末そのものに国保申請処理プログラムを予めインストールして実行する形態であってもよい。
【００８７】
また本発明は、その目的と利点を損なうことのない適宜の変形を含み、更に上記の実施形態に示した数値による限定は受けない。
【００８８】
ここで本発明の特徴をまとめて列挙すると次の付記のようになる。
（付記）
（付記１）（プログラム）
コンピュータを、
普通世帯主又は擬制世帯主を含む１又は複数の世帯員の各々の国民健康保険における加入、喪失、変更を内容とする資格情報をデータベースに世帯単位で登録して管理する管理部、
前記普通世帯主又は擬制世帯主の申請に基づく特定の世帯員の異動日と異動内容を含む異動情報を入力する入力部、
入力した前記異動情報を、前記データベースの対象とする世帯員の資格情報に反映させる異動処理部、
前記異動処理後の前記普通世帯主又は擬制世帯主の資格情報を解析して対象世帯員の資格情報に対するエラーを検出し、そのエラー内容の修正を行う修正部、
前記修正部により修正された資格情報を警告表示して確認を促し、確認入力を認識した際に、前記異動処理及び修正された世帯分の資格情報により前記データベースを更新する確認更新部、
として機能させることを特徴とする国民健康保険申請処理プログラム。（１）
【００８９】
（付記２）（主なし期間）
付記１に記載の国民健康保険申請処理プログラムに於いて、前記修正部は、前記異動処理により発生した前記普通世帯主又は擬制世帯主が存在しない主なし期間のエラーを検出した場合、
現在の普通世帯主が存在する場合は、対象者の現在の普通世帯主の情報を承継した擬制世帯主の期間を、前記主なし期間から自己の被保険者期間を除く期間に亘り生成して追加し、
現在の普通世帯主が存在しない場合は、現在の住民基本台帳データベースに蓄積されている世帯主情報を擬制世帯主とした期間を、前記主なし期間に亘り生成して追加することを特徴とする国民健康保険申請処理プログラム。（２）
【００９０】
（付記３）（主のみ期間）
付記１に記載の国民健康保険申請処理プログラムに於いて、前記修正部は、前記異動処理により発生した普通世帯主又は擬制世帯主のみが存在する主のみ期間のエラーを検出した場合、前記主のみ期間に亘り前記普通世帯主又は擬制世帯主の期間を削除することを特徴とする国民健康保険申請処理プログラム。（３）
【００９１】
（付記４）（主期間の重複）
付記１に記載の国民健康保険申請処理プログラムに於いて、前記修正部は、前記異動処理により発生した前記普通世帯主又は擬制世帯主の現在の世帯主期間と過去の世帯主期間とが重複して存在する重複期間のエラーを検出した場合、前記重複期間について現在の前記普通世帯主又は擬制世帯主の世帯主期間を残し、過去に存在した世帯主期間を普通世帯主であれば被保険者期間に変更し、擬制世帯主であれば削除することを特徴とする国民健康保険申請処理プログラム。（４）
【００９２】
（付記５）（記録媒体）
コンピュータを、
普通世帯主又は擬制世帯主を含む１又は複数の世帯員の各々の国民健康保険における加入、喪失、変更を内容とする資格情報をデータベースに世帯単位で登録して管理する管理部、
前記普通世帯主又は擬制世帯主の申請に基づく特定の世帯員の異動日と異動内容を含む異動情報を入力する入力部、
入力した前記異動情報を、前記データベースの対象とする世帯員の資格情報に反映させる異動処理部、
前記異動処理後の前記普通世帯主又は擬制世帯主の資格情報を解析して対象世帯員の資格情報に対するエラーを検出し、そのエラー内容の修正を行う修正部、
前記修正部により修正された資格情報を警告表示して確認を促し、確認入力を認識した際に、前記異動処理及び修正された世帯分の資格情報により前記データベースを更新する確認更新部、
として機能させる国民健康保険申請処理プログラムを格納したことを特徴とするコンピュータ可読な記録媒体。
【００９３】
（付記６）（装置）
普通世帯主又は擬制世帯主を含む１又は複数の世帯員の各々の国民健康保険における加入、喪失、変更を内容とする資格情報をデータベースに世帯単位で登録して管理する管理部と、
前記普通世帯主又は擬制世帯主の申請に基づく特定の世帯員の異動日と異動内容を含む異動情報を入力する入力部と、
入力した前記異動情報を、前記データベースの対象とする世帯員の資格情報に反映させる異動処理部、
前記異動処理後の前記普通世帯主又は擬制世帯主の資格情報を解析して対象世帯員に対するエラーを検出し、そのエラー内容の修正を行う修正部と、
前記修正部により修正された資格情報を警告表示して確認を促し、確認入力を認識した際に、前記異動処理及び修正された世帯分の資格情報により前記データベースを更新する確認更新部と、
を備えたことを特徴とする国民健康保険申請処理装置。（５）
【００９４】
（付記７）（主なし期間）
付記６に記載の国民健康保険申請処理装置に於いて、前記修正部は、前記異動処理により発生した前記普通世帯主又は擬制世帯主が存在しない主なし期間のエラーを検出した場合、
現在の普通世帯主が存在する場合は、対象者の現在の普通世帯主の情報を承継した擬似世帯主の期間を、前記主なし期間から自己の被保険者期間を除く期間に亘り生成して追加し、
現在の普通世帯主が存在しない場合は、現在の住民基本台帳データベースに蓄積されている世帯主情報を擬制世帯主とした期間を、前記主なし期間に亘り生成して追加することを特徴とする国民健康保険申請処理装置。
【００９５】
（付記８）（主のみ期間）
付記６に記載の国民健康保険申請処理装置に於いて、前記修正部は、前記異動処理により発生した普通世帯主又は擬制世帯主のみが存在する主のみ期間のエラーを検出した場合、前記主のみ期間に亘り前記普通世帯主又は擬制世帯主の期間を削除することを特徴とする国民健康保険申請処理装置。
【００９６】
（付記９）（主期間の重複）
付記６に記載の国民健康保険申請処理装置に於いて、前記修正部は、前記異動処理により発生した前記普通世帯主又は擬制世帯主の現在の世帯主期間と過去の世帯主期間とが重複して存在する重複期間のエラーを検出した場合、前記重複期間について現在の前記普通世帯主又は擬制世帯主の世帯主期間を残し、過去に存在した世帯主期間を普通世帯主であれば被保険者期間に変更し、擬制世帯主であれば削除することを特徴とする国民健康保険申請処理装置。
【００９７】
（付記１０）（方法）
コンピュータに、
普通世帯主又は擬制世帯主を含む１又は複数の世帯員の各々の国民健康保険における加入、喪失、変更を内容とする資格情報をデータベースに世帯単位で登録して管理する管理処理と、
前記普通世帯主又は擬制世帯主の申請に基づく特定の世帯員の異動日と異動内容を含む異動情報を入力する入力処理と、
入力した前記異動情報を、前記データベースの対象とする世帯員の資格情報に反映させる異動処理と、
前記異動処理後の前記普通世帯主又は擬制世帯主の資格情報を解析して対象世帯員の資格情報に対するエラーを検出し、そのエラー内容の修正を行う修正処理と、
前記修正処理により修正された資格情報を警告表示して確認を促し、確認入力を認識した際に、前記異動処理及び修正の済んだ世帯分の資格情報により前記データベースを更新する更新処理と、
を実行させることを特徴とする国民健康保険申請処理方法。（６）
【図面の簡単な説明】
【００９８】
【図１】本発明による国保申請処理の実施形態を示したシステム構成のブロック図
【図２】本実施形態の国保申請処理プログラムが実行されるコンピュータのハードウェア環境を示したブロック図
【図３】本実施形態における国保申請処理プログラムの処理手順を示したフローチャート
【図４】図３のステップＳ５における修正処理の詳細を示したフローチャート
【図５】図４のステップＳ２におけるマッピング表を使用した主なし期間の修正処理を示した説明図
【図６】図５の主なし期間の修正処理に対応した作業画面を示した説明図
【図７】図４のステップＳ２における主なし期間の修正処理の詳細を示したフローチャート
【図８】図４のステップＳ４におけるマッピング表を使用した主のみ期間の修正処理を示した説明図
【図９】図８の主のみ期間の修正処理に対応した作業画面を示した説明図
【図１０】図４のステップＳ４における主のみ期間の修正処理の詳細を示したフローチャート
【図１１】図４のステップＳ６におけるマッピング表を使用した重複主期間の修正処理を示した説明図
【図１２】図１１の重複主期間の修正処理に対応した作業画面を示した説明図
【図１３】図４のステップＳ６における重複主期間の修正処理の詳細を示したフローチャート
【符号の説明】
【００９９】
１０：国保サーバ
１２：国保データベース
１４：ネットワーク
１６：イントラネット
１８：クライアント
２０：住民基本台帳管理サーバ
２２：住民基本台帳データベース
２４：通信部
２６：保険資格管理部
２８：申請処理部
３０：異動入力部
３２：異動処理部
３４：修正部
３６：確認更新部
３８：ＣＰＵ
４０：バス
４２：ＲＡＭ
４４：ＲＯＭ
４６：ハードディスクドライブ
４８：デバイスインタフェース
５０：キーボード
５２：マウス
５４：ディスプレイ
５６：ネットワークアダプタ
５８−１〜５８−３２：住民基本台帳
６０−１１〜６０−３３：国保資格
６２，６４，６６，６６−１，９０，９２，９４：普主期間
６８，９８：被保期間
７０−１〜７０−３，７５：異動情報
７２：主なし期間
７３，１００：同日発生消滅情報
７４：擬主期間
７６−１１〜７６−３２：作業画面
７８−１，７８−２，８０−１，８０−２１，８０−２２，：普主情報
８４：確認ボタン
８５，８５−１，８５−２：擬主期間
８６：主のみ期間
８８，８８−１，８８−２：擬主情報
９６：重複主期間
１０２−１，１０２−２，１０４−１，１０４−２１，１０４−２２：普主情報
【図１】
2008217732.tif 000003
【図２】
2008217732.tif 000004
【図３】
2008217732.tif 000005
【図４】
2008217732.tif 000006
【図５】
2008217732.tif 000007
【図６】
2008217732.tif 000008
【図７】
2008217732.tif 000009
【図８】
2008217732.tif 000010
【図９】
2008217732.tif 000011
【図１０】
2008217732.tif 000012
【図１１】
2008217732.tif 000013
【図１２】
2008217732.tif 000014
【図１３】
2008217732.tif 000015